(57)【要約】【課題】静止画撮影および動画撮影の何れの場合にもケースを把持しやすくする。【解決手段】撮像装置１００は厚さ方向に貫通する円形の孔５２が形成された前ケース５０と、円柱状に膨出する膨出部６６が設けられた後ケース６０を備え、膨出部６６が孔５２に揺動可能に挿入され揺動可能で前後方向に移動不能に結合されている。前ケース５０と後ケース６０は、それらの幅方向および長さ方向を合致させた第１位置と、それらの長さ方向のなす角度が９０度となる第２位置との間で膨出部６６を中心に揺動可能である。膨出部６６にはレンズ鏡筒１０が設けられ、撮像素子１５０は第１ケース６２の内部に設けられ、第２ケース６４の後面６４０４にはレンズ鏡筒１０で撮像された画像を表示する表示パネルが設けられている。【選択図】        図２
2006050157.tif 000002
【特許請求の範囲】
【請求項１】
厚さと、該厚さよりも大きい寸法の左右幅と、該左右幅よりも大きい寸法の上下長さを有する細長形状の前ケースと、
厚さと、該厚さよりも大きい寸法の左右幅と、該左右幅よりも大きい寸法の上下長さを有する細長形状の後ケースとを備え、
前記前ケースの上部に前記厚さ方向に貫通する孔が形成され、
前記後ケースの厚さ方向の一方の面をなす前面上部に前方に膨出する膨出部が設けられ、
前記前ケースと後ケースとは、前記前ケースの厚さ方向の一方の面をなす後面と前記後ケースの前面が合わされ前記膨出部が前記孔に揺動可能に挿入されることで結合され、
前記膨出部に、前記前ケースの厚さ方向の他方の面をなす前面の前方に臨ませて撮像すべき像を前記後ケースの内部に導くレンズ鏡筒が設けられ、
前記後ケースの内部に、前記レンズ鏡筒で導かれた像を撮像する撮像素子が設けられ、
前記後ケースの厚さ方向の他方の面をなす後面に前記レンズ鏡筒で撮像された画像を表示するモニタが設けられている、
ことを特徴とする撮像装置。
【請求項２】
前記前ケースと後ケースは、それらの幅方向および長さ方向を合致させた第１位置と、それらの長さ方向のなす角度が９０度となる第２位置との間で揺動することを特徴とする請求項１記載の撮像装置。
【請求項３】
前記後ケースは、前記膨出部が位置する第１ケースと、前記長さ方向に延在する支軸を介して前記第１ケースに対して前記支軸の回りに揺動可能に結合された第２ケースとでその長さ方向に分割されて構成され、前記モニタは前記第２ケースに設けられていることを特徴とする請求項１記載の撮像装置。
【請求項４】
前記後ケースは、前記膨出部が位置する第１ケースと、前記長さ方向に延在する支軸を介して前記第１ケースに対して前記支軸の回りに揺動可能に結合された第２ケースとでその長さ方向に分割されて構成され、前記モニタは前記第２ケースに設けられ、前記前ケースと後ケースは、それらの幅方向および長さ方向を合致させた第１位置と、それらの長さ方向のなす角度が９０度となる第２位置との間で揺動し、前記第２位置で、前記第１ケースに臨む前記第２ケースの端部は、前記前ケースの幅方向における側部の外方に位置することを特徴とする請求項１記載の撮像装置。
【請求項５】
前記撮像素子は前記レンズ鏡筒で導かれた像を受光する長辺と短辺を有する矩形状の受光面を有し、前記撮像素子は前記受光面の長辺が前記後ケースの長さ方向と平行をなすように設けられていることを特徴とする請求項１記載の撮像装置。
【請求項６】
前記モニタは長辺と短辺を有する矩形状の表示面を有し、前記モニタは前記表示面の長辺が前記後ケースの長さ方向と平行をなすように設けられていることを特徴とする請求項１記載の撮像装置。
【請求項７】
前記膨出部の前部には前記前ケースの前面とほぼ同一面をなす前面が形成され、前記前面の中心に、前記レンズ鏡筒により形成される光路の開口が設けられていることを特徴とする請求項１記載の撮像装置。
【請求項８】
前記膨出部の前部には前記前ケースの前面とほぼ同一面をなす前面が形成され、前記前面の中心に、前記レンズ鏡筒により形成される光路の開口が設けられ、前記開口の外側における前記前面箇所に、閃光を発するフラッシュが設けられていることを特徴とする請求項１記載の撮像装置。
【請求項９】
前記フラッシュは、前記閃光が前記撮像素子の短辺方向と平行をなす方向に拡散する角度よりも前記閃光が前記撮像素子の長辺方向と平行をなす方向に拡散する角度が大きくなるように構成されていることを特徴とする請求項８記載の撮像装置。
【請求項１０】
前記前ケースの前面に閃光を発するフラッシュが前記厚さ方向を通る軸心の回りに回転可能に配置され、前記前ケースに、前記膨出部に連結され前記孔内における前記膨出部の相対的な回転に連動させて前記フラッシュを回転させる回転機構が設けられていることを特徴とする請求項１記載の撮像装置。
【請求項１１】
前記フラッシュは、前記閃光が前記撮像素子の短辺方向と平行をなす方向に拡散する角度よりも前記閃光が前記撮像素子の長辺方向と平行をなす方向に拡散する角度が大きくなるように構成されていることを特徴とする請求項１０記載の撮像装置。
【請求項１２】
前記前ケースと後ケースは、それらの幅方向および長さ方向を合致させた第１位置と、それらの長さ方向のなす角度が９０度となる第２位置との間で揺動し、前記前ケースと前記後ケースは、互いの左右幅がほぼ同じ寸法で形成されるとともに、互いの上下長さがほぼ同じ寸法で形成され、前記第１位置で前ケースと後ケースの輪郭が合致することを特徴とする請求項１記載の撮像装置。
【請求項１３】
厚さと、該厚さよりも大きい寸法の左右幅と、該左右幅よりも大きい寸法の上下長さを有する細長形状の前ケースと、
厚さと、該厚さよりも大きい寸法の左右幅と、該左右幅よりも大きい寸法の上下長さを有する細長形状の後ケースとを備えた携帯電話機であって、
前記前ケースの上部に前記厚さ方向に貫通する孔が形成され、
前記後ケースの厚さ方向の一方の面をなす前面上部に前方に膨出する膨出部が設けられ、
前記前ケースと後ケースとは、前記前ケースの厚さ方向の一方の面をなす後面と前記後ケースの前面が合わされ前記膨出部が前記孔に揺動可能に挿入されることで結合され、
前記前ケースの後面の下部に前記携帯電話機の動作にまつわる操作部材が設けられ、
前記膨出部に、前記前ケースの厚さ方向の他方の面をなす前面の前方に臨ませて撮像すべき像を前記後ケースの内部に導くレンズ鏡筒が設けられ、
前記後ケースの内部に、前記レンズ鏡筒で導かれた像を撮像する撮像素子が設けられ、
前記後ケースの厚さ方向の他方の面をなす後面に前記レンズ鏡筒で撮像された画像を表示するモニタが設けられている、
ことを特徴とする携帯電話機。
【請求項１４】
前記前ケースの後面の下部にマイクが配設され、前記後ケースの後面の上部にスピーカが配設されていることを特徴とする請求項１３記載の携帯電話機。
【請求項１５】
前記前ケースと後ケースは、それらの幅方向および長さ方向を合致させた第１位置と、それらの長さ方向のなす角度が９０度となる第２位置との間で揺動し、前記操作部材は前記第２位置で露出することを特徴とする請求項１３記載の携帯電話機。
【請求項１６】
前記後ケースは、前記膨出部が位置する第１ケースと、前記長さ方向に延在する支軸を介して前記第１ケースに対して前記支軸の回りに揺動可能に結合された第２ケースとでその長さ方向に分割されて構成され、前記モニタは前記第２ケースに設けられていることを特徴とする請求項１３記載の携帯電話機。
【請求項１７】
前記後ケースは、前記膨出部が位置する第１ケースと、前記長さ方向に延在する支軸を介して前記第１ケースに対して前記支軸の回りに揺動可能に結合された第２ケースとでその長さ方向に分割されて構成され、前記モニタは前記第２ケースに設けられ、前記前ケースと後ケースは、それらの幅方向および長さ方向を合致させた第１位置と、それらの長さ方向のなす角度が９０度となる第２位置との間で揺動し、前記操作部材は前記第２位置で露出し、前記第２位置で、前記第１ケースに臨む前記第２ケースの端部は、前記前ケースの幅方向における側部の外方に位置することを特徴とする請求項１３記載の携帯電話機。
【請求項１８】
前記撮像素子は前記レンズ鏡筒で導かれた像を受光する長辺と短辺を有する矩形状の受光面を有し、前記撮像素子は前記受光面の長辺が前記後ケースの長さ方向と平行をなすように設けられていることを特徴とする請求項１３記載の携帯電話機。
【請求項１９】
前記モニタは長辺と短辺を有する矩形状の表示面を有し、前記モニタは前記表示面の長辺が前記後ケースの長さ方向と平行をなすように設けられていることを特徴とする請求項１３記載の携帯電話機。
【請求項２０】
前記膨出部の前部には前記前ケースの前面とほぼ同一面をなす前面が形成され、前記前面の中心に、前記レンズ鏡筒により形成される光路の開口が設けられていることを特徴とする請求項１３記載の携帯電話機。
【請求項２１】
前記膨出部の前部には前記前ケースの前面とほぼ同一面をなす前面が形成され、前記前面の中心に、前記レンズ鏡筒により形成される光路の開口が設けられ、前記開口の外側における前記前面箇所に、閃光を発するフラッシュが設けられていることを特徴とする請求項１３記載の携帯電話機。
【請求項２２】
前記フラッシュは、前記閃光が前記撮像素子の短辺方向と平行をなす方向に拡散する角度よりも前記閃光が前記撮像素子の長辺方向と平行をなす方向に拡散する角度が大きくなるように構成されていることを特徴とする請求項２１記載の携帯電話機。
【請求項２３】
前記前ケースの前面に閃光を発するフラッシュが前記厚さ方向を通る軸心の回りに回転可能に配置され、前記前ケースに、前記膨出部に連結され前記孔内における前記膨出部の相対的な回転に連動させて前記フラッシュを回転させる回転機構が設けられていることを特徴とする請求項１３記載の携帯電話機。
【請求項２４】
前記フラッシュは、前記閃光が前記撮像素子の短辺方向と平行をなす方向に拡散する角度よりも前記閃光が前記撮像素子の長辺方向と平行をなす方向に拡散する角度が大きくなるように構成されていることを特徴とする請求項２３記載の携帯電話機。
【請求項２５】
前記前ケースと後ケースは、それらの幅方向および長さ方向を合致させた第１位置と、それらの長さ方向のなす角度が９０度となる第２位置との間で揺動し、前記前ケースと前記後ケースは、互いの左右幅がほぼ同じ寸法で形成されるとともに、互いの上下長さがほぼ同じ寸法で形成され、前記第１位置で前ケースと後ケースの輪郭が合致することを特徴とする請求項１３記載の携帯電話機。
【発明の詳細な説明】
【技術分野】
【０００１】
本発明は撮像装置および撮像装置が組み込まれた携帯電話機に関する。
【背景技術】
【０００２】
長方形状の受光エリア（受光面）を有するＣＣＤなどの撮像素子と、撮像された画像を表示する長方形状のモニタとを有する撮像装置で、前記撮像素子を、前記受光エリアを横長とした横位置と、縦長とした縦位置との間で回動可能に設け、前記モニタを、前記撮像素子の回動に連動して回動させることにより、前記撮像素子の回転位置に拘わらず、撮像された画像の長手方向がモニタの長手方向と一致するように構成されたものが提案されている（例えば特許文献１）。
このような撮像装置によれば、撮像装置の姿勢を変えることなく、言い換えると、撮像装置のグリップ形態を変えることなく、撮像素子を横位置あるいは縦位置にして撮影を行うことができる。
【特許文献１】特開２０００−２０９４６９号公報
【発明の開示】
【発明が解決しようとする課題】
【０００３】
近年、静止画と動画の２種類の撮影を行うことができる撮像装置が提供されている。
このような撮像装置を用いて静止画を撮影する場合には、撮像装置のケースの左右両側を両手でしっかり把持してシャッターボタンを操作することがユーザーの姿勢に負担がかからずカメラぶれがない安定した撮影を行う上で有利である。
一方、動画を撮影する場合には、撮像装置のケースを一方の手で把持して撮像装置を動かすことがユーザーの姿勢に負担がかからず動きのある被写体に追従した撮影を行う上で有利である。
しかしながら、静止画と動画の２種類の撮影を行う従来の撮像装置では、動画を撮影する際に静止画を撮影する場合と同様な方法でしか把持できず、動画の撮影を行いにくいという不具合があった。
本発明は前記事情に鑑み案出されたものであって、本発明の目的は、静止画を撮影する場合には、ケースを横長の形態にして両手でケースの左右両側を把持しやすいようにし、動画を撮影する場合には、縦長の形態にして一方の手でケースを把持しやすくした撮像装置およびそのような撮像装置が組み込まれた携帯電話機を提供することにある。
【課題を解決するための手段】
【０００４】
上述の目的を達成するため、本発明の撮像装置は、厚さと、該厚さよりも大きい寸法の左右幅と、該左右幅よりも大きい寸法の上下長さを有する細長形状の前ケースと、厚さと、該厚さよりも大きい寸法の左右幅と、該左右幅よりも大きい寸法の上下長さを有する細長形状の後ケースとを備え、前記前ケースの上部に前記厚さ方向に貫通する孔が形成され、前記後ケースの厚さ方向の一方の面をなす前面上部に前方に膨出する膨出部が設けられ、前記前ケースと後ケースとは、前記前ケースの厚さ方向の一方の面をなす後面と前記後ケースの前面が合わされ前記膨出部が前記孔に揺動可能に挿入されることで結合され、前記膨出部に、前記前ケースの厚さ方向の他方の面をなす前面の前方に臨ませて撮像すべき像を前記後ケースの内部に導くレンズ鏡筒が設けられ、前記後ケースの内部に、前記レンズ鏡筒で導かれた像を撮像する撮像素子が設けられ、前記後ケースの厚さ方向の他方の面をなす後面に前記レンズ鏡筒で撮像された画像を表示するモニタが設けられていることを特徴とする。
また、本発明の携帯電話機は、厚さと、該厚さよりも大きい寸法の左右幅と、該左右幅よりも大きい寸法の上下長さを有する細長形状の前ケースと、厚さと、該厚さよりも大きい寸法の左右幅と、該左右幅よりも大きい寸法の上下長さを有する細長形状の後ケースとを備えた携帯電話機であって、前記前ケースの上部に前記厚さ方向に貫通する孔が形成され、前記後ケースの厚さ方向の一方の面をなす前面上部に前方に膨出する膨出部が設けられ、前記前ケースと後ケースとは、前記前ケースの厚さ方向の一方の面をなす後面と前記後ケースの前面が合わされ前記膨出部が前記孔に揺動可能に挿入されることで結合され、前記前ケースの後面の下部に前記携帯電話機の動作にまつわる操作部材が設けられ、前記膨出部に、前記前ケースの厚さ方向の他方の面をなす前面の前方に臨ませて撮像すべき像を前記後ケースの内部に導くレンズ鏡筒が設けられ、前記後ケースの内部に、前記レンズ鏡筒で導かれた像を撮像する撮像素子が設けられ、前記後ケースの厚さ方向の他方の面をなす後面に前記レンズ鏡筒で撮像された画像を表示するモニタが設けられていることを特徴とする。
【発明の効果】
【０００５】
前ケースと後ケースがそれらの長さ方向を合致させて水平方向に延在させると、ユーザーは、両手で撮像装置の前ケースと後ケースの長さ方向の両側を両手でしっかり保持することができるため、ユーザーの姿勢に負担がかからずカメラぶれがない安定した撮影を行うことができ、特に静止画の撮影を行う上で有利である。
前ケースと後ケースがそれらの長さ方向のなす角度が例えば９０度となるように揺動させ、ユーザーが撮像装置の前ケースを一方の手で把持すると、ユーザーの姿勢に負担がかからず動きのある被写体に追従して撮像装置を動かせ、特に動画の撮影を行う上で有利である。
したがって、撮像装置を保持する際のグリップ形態を撮影の種類に応じて自由に選択することができ撮影時の操作性の向上を図る上で有利となる。
【発明を実施するための最良の形態】
【０００６】
静止画を撮影する場合には、ケースを横長の形態にして両手でケースの左右両側を把持しやすいようにし、動画を撮影する場合には、縦長の形態にして一方の手でケースを把持しやすくするという目的を、前ケースの孔に後ケースの膨出部を揺動可能に挿入することで前ケースと後ケースを揺動可能に結合し、膨出部にレンズ鏡筒を設け、後ケースの内部に撮像素子を設け、後ケースの後面にレンズ鏡筒で撮像された画像を表示するモニタを設けることによって実現した。
【実施例１】
【０００７】
次に本発明の実施例１について図面を参照して説明する。
図１は実施例１の撮像装置の制御系を示す説明図、図２は実施例１の撮像装置の分解斜視図、図３は実施例１の撮像装置が第１位置にある状態を前方から見た斜視図、図４は実施例１の撮像装置が第１位置にある状態を後方から見た斜視図、図５は実施例１の撮像装置が第２位置にある状態を前方から見た斜視図、図６は実施例１の撮像装置が第２位置にある状態を後方から見た斜視図である。
【０００８】
図１に示すように、本実施例の撮像装置１００は、撮影光学系１４が組み込まれたレンズ鏡筒１０と、撮影光学系１４によって結像された被写体像を撮像するＣＣＤやＣＭＯＳセンサなどで構成された撮像素子１５０などを備え、撮像装置１００は、撮像素子１５０から出力された撮像信号に基づいて画像データを生成し、記憶媒体１５２に記録する画像処理部１５４、前記画像データを表示パネル１２６に表示させる表示処理部１５６、撮影光学系１４の撮影倍率を変化させるズーム駆動部１５８、制御部１６０などを備えている。
制御部１６０は、シャッターボタン１１０、操作スイッチ１１２、撮影開始／停止ボタン１１４、十字キースイッチ１１６、複数の操作スイッチ１１８、複数の操作スイッチ１２８の操作に基づいて画像処理部１５４、表示処理部１５６、ズーム駆動部１５８を制御するＣＰＵなどを含んでいる。
【０００９】
図２に示すように、撮像装置１００は、外装を構成する前ケース５０と後ケース６０を備えている。なお、本明細書において撮像装置１００の前後は、被写体側を前方としてその反対方向を後方とし、撮像装置１００の左右は撮像装置１００の後方から見た左右をいうものとする。
前ケース５０は、厚さと、この厚さよりも大きい寸法の左右幅と、この左右幅よりも大きい寸法の上下長さを有し細長形状を呈し、本実施例では上下に細長の矩形板状を呈している。
後ケース６０は、厚さと、この厚さよりも大きい寸法の左右幅と、この左右幅よりも大きい寸法の上下長さを有し細長形状を呈し、本実施例では前ケース５０と等しい寸法の左右幅と上下長さで上下に細長の矩形板状を呈している。
前ケース５０の上部には厚さ方向に貫通する円形の孔５２が形成され、後ケース６０の厚さ方向の一方をなす前面上部には厚さ方向に円柱状に膨出する膨出部６６が設けられている。
本実施例では、前ケース５０の孔５００２は前ケース５０の上部で幅方向の中央に設けられ、膨出部６６は第１ケース６２の幅方向中央に設けられている。
前ケース５０と後ケース６０とは、それらの左右幅および上下長さを合わせ、かつ、前ケース５０の厚さ方向の一方の面をなす後面と後ケース６０の前記前面とが合わされ、膨出部６６が孔５２に揺動可能に挿入され、膨出部６６と孔５２は、従来公知の様々な構成により揺動可能で前後方向に移動不能に結合されている。
前ケース５０と後ケース６０は、図３に示すように、それらの幅方向および長さ方向を合致させた第１位置と、図５に示すように、それらの長さ方向のなす角度が９０度となる第２位置との間で膨出部６６を中心に揺動可能である。
本実施例では、前ケース５０と後ケース６０は、互いの左右幅がほぼ同じ寸法で形成されるとともに、互いの上下長さがほぼ同じ寸法で形成され、前記第１位置で前ケース５０と後ケース６０の輪郭が合致するように構成されている。
【００１０】
図２に示すように、前ケース５０は、厚さ方向の一方（後方）の面をなす後面５００４と、厚さ方向の他方（前方）の面をなす前面５００２と、長さ方向の一方（上方）の端面をなす上面５００６と、長さ方向の他方（下方）の端面をなす下面５００８と、幅方向の一方の側面をなす左側面５０１０、幅方向の他方の側面をなす右側面５０１２とを有している。
【００１１】
図２に示すように、後ケース６０はその長さ方向に分割され膨出部６６が位置する第１ケース６２と、第１ケース６２に対してその長さ方向に延在する支軸６８（図５）の回りに揺動可能に結合された第２ケース６４とで構成されている。本実施例では支軸６８は第１ケース６２および第２ケース６４の幅方向の中央を通るように設けられている。
第１ケース６２は、厚さ方向の一方の面をなす前面６２０２と、厚さ方向の他方の面をなす後面６２０４と、長さ方向の一方の端面をなす上面６２０６と、長さ方向の他方の端面をなす下面６２０８と、幅方向の一方の側面をなす左側面６２１０と、幅方向の他方の側面をなす右側面６２１２とを有している。
第２ケース６４は、厚さ方向の一方の面をなす前面６４０２と、厚さ方向の他方の面をなす後面６４０４と、長さ方向の一方の端面をなす上面６４０６と、長さ方向の他方の端面をなす下面６４０８と、幅方向の一方の側面をなす左側面６４１０と、幅方向の他方の側面をなす右側面６４１２とを有している。
第１ケース６２と第２ケース６４は同じ寸法の幅を有し、かつ、第２ケース６４の長さが第１ケース６２の長さよりも大きい寸法で形成されている。
第１ケース６２が第２ケース６４に臨む端部すなわち下面６２０８と、第２ケース６４が第１ケース６６に臨む端部すなわち上面６４０６は、第１位置（図４）において、前後方向から見て共に前記幅方向に沿って直線状に延在している。
また、第２位置（図５）で第１ケース６２に臨む第２ケース６４の端部（上面６４０６）は、前ケース５０の幅方向の一方に位置する側部（左側面５０１０）の外方に位置し、第２ケース６４に臨む第１ケース６２の端部を除く第１ケース６２の残りの部分は前ケース５０上に位置している。
【００１２】
本実施例では、膨出部６６には、前ケース５０の前面５００２の前方に臨ませてレンズ鏡筒１０が設けられている。
言い換えると、膨出部６６の前部には前ケース５０の前面５００２とほぼ同一面をなす前面６６０２が形成され、前面６６０２の中心に、鏡筒１２に保持された撮影光学系１４の光路の開口１４０２が設けられている。
レンズ鏡筒１０は、撮像すべき像を第１ケース６２の内部に導くものであり、鏡筒１２と撮影光学系１４とを含んで構成され、本実施例では撮影光学系１４は撮影倍率（ズーム比）が広角側と望遠側の間で連続的に可変されるズーミングレンズとして構成されている。
撮像素子１５０は、第１ケース６２の内部に設けられ、より詳細には、レンズ鏡筒１０により形成される前後に延在した光路の後端に設けられ、言い換えると、膨出部６６の後方における第１ケース６２の内部に取り付けられ固定されている。
撮像素子１５０は、レンズ鏡筒１０によって導かれた像を受光する長辺と短辺を有する矩形状の受光面を有し、撮像素子１５０は前記受光面の長辺が後ケース６０の長さ方向と平行をなすように設けられ、言い換えると、上下に縦長に設けられている。
【００１３】
図４に示すように、第１ケース６２の後面６２０４には、撮影光学系１４のズーム操作を行うための操作スイッチ１１２と、動画を撮影する際に操作する撮影開始／停止ボタン１１４と、静止画あるいは動画の撮影および再生にまつわる操作を行う十字キースイッチ１１６と、複数の操作スイッチ１１８、スピーカー１３０が設けられている。
第１ケース６２の右側面６４１２の下部寄りの箇所には静止画を撮影する際に操作するシャッターボタン１１０が設けられている。
第２ケース６４の後面６４０４には、レンズ鏡筒１０で撮像された画像を表示する表示パネル（モニタ）１２６が設けられている。
表示パネル１２６は長辺と短辺を有する矩形状の表示面１２６Ａを有し、表示パネル１２６は表示面１２６Ａの長辺が後ケース６０の長さ方向と平行をなすように設けられている。
第２ケース６４の後面６４０４のうち下部寄りの箇所には、幅方向に沿って、撮影あるいは画像の再生にまつわる操作を行うための複数の操作スイッチ１２８が設けられている。
図５に示すように、第２ケース６４の前面６４０２には、録音用のマイク１２２が設けられている。
なお、本実施例では、画像処理部１５４、表示処理部１５６、ズーム駆動部１５８、制御部１６０などは、前ケース５０に設けられている。
【００１４】
次に本実施例における撮像装置１００の使用方法について説明する。
撮像装置１００を用いて静止画の撮影を行う場合について説明する。
図３、図４に示すように、予め、後ケース６０が第１位置に位置しているものとする。
ユーザーは、前ケース５０および後ケース６０を水平方向に延在させ、それらケース５０、６０の長手方向の両側部を両手で保持し、前ケース５０の前面５００２を前方に向け、第１、第２ケース６２、６４の後面６２０４、６４０４をユーザーに向ける。
この状態で、表示面１２６Ａに表示される被写体像を視認しつつシャッターボタン１１０を操作して静止画の撮影を行う。
この場合、撮像素子１５０の受光面の長辺方向および表示面１２６Ａの長辺方向は、後ケース６０の長さ方向と合致しており、撮像素子１５０で撮像される画像の長手方向が表示面１２６Ａの長手方向と一致している。
【００１５】
次に撮像装置１００を用いて動画の撮影を行う場合について説明する。
図３、図４に示すように、予め、撮像装置１００が第１位置に位置しているものとする。
ユーザーは、図５、図６に示すように、後ケース６０を第１位置から第２位置まで回動させ、前ケース５０を鉛直方向に延在させるとともに、後ケース６０を水平方向に延在させる。
そして、前ケース５０の前面５００２を前方に向けて前ケース５０の下半部を右手（一方の手）で把持し、後ケース６０の第２ケース６４を回動させ表示面１２６Ａをユーザーの方に向ける。
この状態で、表示面１２６Ａに表示される被写体像を視認しつつ右手（一方の手）で撮影開始／停止ボタン１１４を操作して動画の撮影を行う。
この場合にも、撮像素子１５０の受光面の長辺方向および表示面１２６Ａの長辺方向は、後ケース６０の長さ方向と合致しており、撮像素子１５０で撮像される画像の長手方向が表示面１２６Ａの長手方向と一致している。
またこの際、ユーザーは、第２ケース６４を支軸６８回りに回動させることで表示面１２６Ａを所望の方向に向けることができる。したがって、撮像装置１００をユーザーの頭部よりも高い位置に保持したハイアングルでの撮影時には表示面１２６Ａを斜め下方に向けることで表示面１２６Ａを容易に視認することができ、撮像装置１００をユーザーの頭部よりも低い位置に保持したローアングルでの撮影時には、表示面１２６Ａを斜め上方に向けることで表示面１２６Ａを容易に視認することができる。
また、第２ケース６４を支軸６８回りに回動させることで表示面１２６Ａを撮影光学系１４と同一の方向（前方）に向ければ、ユーザーが表示面１２６Ａに表示される自分自身を視認しつつ撮影する、いわゆる自分撮りを行うことができる。
【００１６】
次に、表示面１２６Ａに画像を表示させる場合について説明する。
この場合には、上述したように後ケース６０を第２位置に位置させた状態で表示面１２６Ａに画像を表示させてもよいし、第２ケース６４を回動させ表示面１２６Ａを前ケース５０の後面５００４と反対側に向けた状態で後ケース６０を第１位置に位置させた状態で表示面１２６Ａに画像を表示させてもよい。
【００１７】
次に本実施例の作用効果について説明する。
前ケース５０と後ケース６０が第１位置にある場合、ユーザーは、両手で撮像装置１００の前ケース５０と後ケース６０の長さ方向の両側を両手でしっかり保持することができるため、ユーザーの姿勢に負担がかからずカメラぶれがない安定した撮影を行うことができ、特に静止画の撮影を行う上で有利である。
前ケース５０と後ケース６０が第２位置にある場合、撮像装置１００の前ケース５０を右手で把持して撮像装置１００を動かすことによってユーザーの姿勢に負担がかからず動きのある被写体に追従して撮影を行うことができ、特に動画の撮影を行う上で有利である。
したがって、撮像装置１００を保持する際のグリップ形態を撮影の種類に応じて自由に選択することができ撮影時の操作性の向上を図る上で有利となる。
また、前ケース５０と後ケース６０の位置に拘わらず、撮像素子１５０で撮像される画像の長手方向と表示面１２６Ａの長手方向とが常に合致した状態で画像が表示面１２６Ａに表示される。
言い換えると、前ケース５０と後ケース６０の位置を変更しても撮像素子１５０で撮像される画像の縦横の比率の関係が変わらないので、ユーザーに対して違和感を与えることなく前記グリップ形態を変えることができ、撮像装置１００の操作性を向上させる上でより有利となる。
なお、本実施例では、前ケース５０と後ケース６０が第１位置にある状態で静止画撮影を行い、前ケース５０と後ケース６０が第２位置にある状態で動画撮影を行う場合について説明したが、ケース５０と後ケース６０が第１位置にある状態で動画撮影を行い、前ケース５０と後ケース６０が第２位置にある状態で静止画撮影を行ってもよいことはもちろんである。
【実施例２】
【００１８】
次に本発明の実施例２について説明する。
実施例２が実施例１と異なるのは、膨出部にフラッシュを設けた点である。
図７は実施例２の撮像装置が第１位置にある状態を前方から見た斜視図、図８は実施例１の撮像装置が第１位置にある状態を後方から見た斜視図、図９は実施例２の撮像装置が第２位置にある状態を前方から見た斜視図、図１０は実施例２の撮像装置が第２位置にある状態を後方から見た斜視図である。なお、以下では実施例１と同様の部分および部材には同一の符号を付して説明する。
【００１９】
図７に示すように、実施例２では、実施例１と同様に、膨出部６６は第１ケース６２の幅方向中央に設けられ、膨出部６６には、前ケース５０の前面５００２の前方に臨ませてレンズ鏡筒１０が設けられ、膨出部６６の前部には前ケース５０の前面５００２とほぼ同一面をなす前面６６０２が形成され、前面６６０２に、撮影光学系１４により形成される光路の開口１４０２が設けられている。
開口１４０２は、前面６６０２の直径の１／２以下の直径で形成され、開口１４０２は前面６６０２の幅方向中央で第１ケース６２の上面６２０６寄りの箇所に設けられている。開口１４０２の外側における前面６２０２箇所のうち本例では前面６６０２の幅方向中央で第１ケース６２の下面６２０８寄りの箇所に閃光を発するフラッシュ７０が設けられている。
フラッシュ７０は、前方に臨ませて形成された上下に縦長の矩形状の開口７００２と、開口７００２に組み込まれた閃光拡散用の拡散板７００４と、拡散板７００４の後方に配設され制御部１６０の制御によって発光される発光部（不図示）とを有している。
フラッシュ７０は、前記発光部から発光された閃光が拡散板７００４によって前方に拡散して出射される際、前記閃光が第１ケース６２に組み込まれている撮像素子１５０の短辺方向と平行をなす方向に拡散する角度（範囲）よりも、前記閃光が撮像素子１５０の長辺方向と平行をなす方向に拡散する角度（範囲）が大きくなるように構成されている。
【００２０】
実施例２によれば、実施例１と同様の作用効果を奏することは無論のこと、フラッシュ７０が膨出部６６に設けられているため、前ケース５０と後ケース６０が第１位置（図７）と第２位置（図９）の何れの位置に位置した場合にも、フラッシュ７０から出射された光は、撮像素子１５０の短辺方向と平行をなす方向よりも撮像素子１５０の長辺方向と平行をなす方向により広い角度をもって拡散する。
したがって、前ケース５０と後ケース６０の位置に拘わらず、撮像素子１５０の受光面の縦横の比率に対応した範囲に満遍なく光を照射することができる。
特に、近年、撮像素子１５０の高画素化に伴って撮像素子１５０の１画素当たりの受光光量の低下が避けられないことから、前記受光光量を如何に確保するかが課題となっているが、実施例２によれば撮像素子１５０の縦横の比率に応じて常に適切に光を被写体に照射することができ、前記課題を解決する上で有利となる。
【実施例３】
【００２１】
次に本発明の実施例３について説明する。
実施例３が実施例２と異なるのは、フラッシュが前ケースに設けられフラッシュが膨出部に連動して回転される点である。
図１１は実施例３の撮像装置が第１位置にある状態を前方から見た斜視図、図１２は実施例３の撮像装置が第２位置にある状態を前方から見た斜視図、図１３は実施例３におけるフラッシュの回転機構の構成図である。
【００２２】
図１１、図１２、図１３に示すように、フラッシュ７０は円筒状のケース７００６に収容され、このケース７００６は、前ケース５０の前面５００２の孔５０２０に、前ケース５０の厚さ方向を通る軸心の回りに回転可能に挿入され配置されている。
図１３に示すように、前ケース５０の内部には、膨出部６６に連結され孔５２内における膨出部６６の相対的な回転に連動させてフラッシュ７０を回転させる回転機構７２が設けられている。
膨出部６６の後部は第１ケース６２の内部に設けられた支持壁６２２０により支持されており、回転機構７２は、膨出部６６の後部外周面に形成された第１歯車７２０２と、支持壁６２２０から突設された支軸によって回転可能に支持され第１歯車７２０２に噛合する第２歯車７２０４と、第２歯車７２０４と一体的に回転する第２歯車７２０４よりも小径な第３歯車７２０６と、フラッシュ７０のケース７００８の外周面に形成され第３歯車７２０６に噛合する第４歯車７２０８とを備え、これら第１〜第４歯車７２０２、７２０４、７２０６、７２０８は前ケース５０内部に組み込まれている。
前ケース５０と後ケース６０が第１位置（図１１）から第２位置（図１２）あるいは第２位置（図１２）から第１位置（図１１）に動かされると、第１歯車７２０２の回転が第２、第３、第３歯車７２０４、７２０６、７２０８を介してケース７００６に伝達され、これによりフラッシュ７０が前記軸心を中心に９０度回転される。
そして、回転機構７２は、前ケース５０と後ケース６０の揺動に連動してフラッシュ７０が回転することにより、前ケース５０と後ケース６０が第１位置（図１１）および第２位置（図１２）の何れの位置にあっても、フラッシュ７０から出射された光が、撮像素子１５０の受光面の短辺方向と平行をなす方向よりも撮像素子１５０の長辺方向と平行をなす方向により広い角度をもって拡散するように構成されている。
したがって、実施例３においても、実施例２と同様に、実施例１と同様の作用効果に加えて、前ケース５０と後ケース６０の位置に拘わらず、撮像素子１５０の縦横の比率に対応した範囲に満遍なく光を照射するという作用効果を奏する。
また、実施例３では、フラッシュ７０を膨出部６６と別に設けたので、撮影光学系１４の開口１４０２を大きく確保する上で有利となる。
【実施例４】
【００２３】
次に本発明の実施例４について説明する。
実施例４が実施例３と異なるのは回転機構として歯車に代えてリンク機構を用いた点である。
図１４は実施例４におけるフラッシュの回転機構の構成図である。
図１４に示すように、回転機構７２´は、膨出部６６の外周面から突設され外周面に固定された第１リンク７２１０と、ケース７００６の外周面から突設され外周面に固定された第２リンク７２１２と、トグルばね７２１４とを備えている。
第１リンク７２１０の先端の長溝７２１６に第２リンク７２１２の先端のピン７２１８が挿通され、かつ、ピン７２１６と第１リンク７２１２の係止ピン７２２０との間にトグルばね７２１４が介装されている。
前ケース５０と後ケース６０が第１位置（図１１）から第２位置（図１２）あるいは第２位置（図１２）から第１位置（図１１）に動かされると、第１リンク７２１０の揺動が長溝７２１６とピン７２１８と第２リンク７２１２を介してケース７００６に伝達され、これによりフラッシュ７０が第１ケース６２とともに、前ケース５０の厚さ方向を通る軸心を中心に９０度回転される。トグルばね７２１４は、このリンク機構を前記第１位置および第２位置のそれぞれに対応した位置に付勢する。
そして、回転機構７２´は、前ケース５０と後ケース６０の揺動に連動してフラッシュ７０が回転することにより、前ケース５０と後ケース６０が第１位置（図１１）および第２位置（図１２）の何れの位置にあっても、フラッシュ７０から出射された光が、撮像素子１５０の受光面の短辺方向と平行をなす方向よりも撮像素子１５０の長辺方向と平行をなす方向により広い角度をもって拡散するように構成されている。
したがって、実施例４においても、実施例３と同様の作用効果を奏する。
【実施例５】
【００２４】
次に撮像装置が組み込まれた携帯電話機に本発明が適用された実施例について説明する。
図１５は携帯電話機の制御系を示すブロック図、図１６（Ａ）は実施例５の携帯電話機が第１位置にある状態を示す正面図、（Ｂ）は（Ａ）のＢ矢視図、（Ｃ）は（Ａ）のＣ矢視図、（Ｄ）は（Ａ）のＤ矢視図、図１７（Ｅ）は図１６（Ａ）のＥ矢視図、（Ｆ）は（Ｅ）のＦ矢視図、図１８は実施例５の携帯電話機が第１位置にある状態を前方から見た斜視図である。
図１９（Ａ）は実施例５の携帯電話機が第２位置にある状態を示す正面図、（Ｂ）は（Ａ）のＢ矢視図、（Ｃ）は（Ａ）のＣ矢視図、（Ｄ）は（Ａ）のＤ矢視図、図２０（Ｅ）は図１９（Ａ）のＥ矢視図、（Ｆ）は（Ｅ）のＦ矢視図、図２１は実施例５の携帯電話機が第２位置にある状態を前方から見た斜視図である。
【００２５】
図１５に示すように、実施例５の携帯電話機２００は、撮像装置が組み込まれたカメラ付き携帯電話機であり、携帯電話機２００の機能を実現する携帯電話部を有している点が実施例１と異なり、その他の点は実施例１とほぼ同様に構成されている。
この携帯電話部は、音声を入力する音声入力部（マイク）２０２、音声を出力する音声出力部（スピーカ）２０４、無線回線を介して音声信号あるいはデータ信号を送受信する送受信部２０６、数字、文字または記号などの入力あるいは携帯電話機の各種操作を行うためのキー入力部２０８、表示パネル１２６、制御部１６０、シャッターボタン１１０と、シャッターボタン１１０、操作スイッチ１１２、撮影開始／停止ボタン１１４、十字キースイッチ１１６、複数の操作スイッチ１１８、複数の操作スイッチ１２８などを有している。
そして、制御部１６０は、キー入力部２０８の入力に基づいて送受信部２０６を制御して発信あるいは受信を行い、音声入力部２０２および音声出力部２０４を制御して通話を行う。また、制御部１６０は、キー入力部２０８によって入力された電話番号や文字などを表示パネル１２６に表示させる。
さらに携帯電話機２００は、実施例１と同様に、撮像装置を構成するレンズ鏡筒１０、撮像素子１５０、画像処理部１５４、表示処理部１５６、ズーム駆動部１５８などを備えている。
【００２６】
図１６、図１８、図１９、図２０に示すように、携帯電話機２００は実施例１と同様に前ケース５０と後ケース６０を備え、前ケース５０と後ケース６０とは、それらの左右幅および上下長さを合わせ、かつ、前ケース５０の厚さ方向の一方の面をなす後面と後ケース６０の前記前面とが合わされ、膨出部６６が孔５２に揺動可能に挿入され、膨出部６６と孔５２は揺動可能で前後方向に移動不能に結合されている。
前ケース５０と後ケース６０は、図１６（Ａ）に示すように、それらの幅方向および長さ方向を合致させることでそれらの輪郭を合致させた第１位置と、図１９（Ａ）に示すように、それらの長さ方向のなす角度が９０度となる第２位置との間で膨出部６６を中心に揺動可能である。
送受信部２０６、制御部１６０、画像処理部１５４、表示処理部１５６、ズーム駆動部１５８などは、前ケース５０に設けられている。
図２０（Ｆ）に不図示ではあるが、音声入力部（マイク）２０２は、前ケース５０の後面５００４下部に設けられ、音声出力部（スピーカ）２０４は、第１ケース６２の後面６２０４の左側面６２１０寄り箇所に設けられている。
図２０（Ｇ）に示すように、シャッターボタン１１０は前ケース５０の右側面５０１２に設けられ、図２０（Ｆ）に示すように、操作スイッチ１１２（不図示）と撮影開始／停止ボタン１１４（不図示）と十字キースイッチ１１６と複数の操作スイッチ１１８（不図示）とは前ケース５０の後面５００４に設けられている。複数の操作スイッチ１２８（不図示）は第２ケース６４の後面６４０４に設けられている
キー入力部２０８は前ケース５０の後面５００４設けられ、キー入力部２０８は携帯電話機２００の動作にまつわる操作部材としての複数のキーで構成されている。
したがって、実施例５においても実施例１と同様の作用効果を奏する。
【実施例６】
【００２７】
次に実施例６について説明する。
実施例６が実施例５と異なるのは、膨出部にフラッシュを設けた点である。
図２２（Ａ）は実施例６の携帯電話機が第１位置にある状態を示す正面図、（Ｂ）は（Ａ）のＢ矢視図、（Ｃ）は（Ａ）のＣ矢視図、（Ｄ）は（Ａ）のＤ矢視図、図２３（Ｅ）は図２２（Ａ）のＥ矢視図、（Ｆ）は（Ｅ）のＦ矢視図、図２４は実施例６の携帯電話機が第１位置にある状態を前方から見た斜視図である。
図２５（Ａ）は実施例６の携帯電話機が第２位置にある状態を示す正面図、（Ｂ）は（Ａ）のＢ矢視図、（Ｃ）は（Ａ）のＣ矢視図、（Ｄ）は（Ａ）のＤ矢視図、図２６（Ｅ）は図２５（Ａ）のＥ矢視図、（Ｆ）は（Ｅ）のＦ矢視図、図２７は実施例６の携帯電話機が第２位置にある状態を前方から見た斜視図である。
【００２８】
実施例６は、膨出部６６にフラッシュ７０を設けた点において実施例２と同様である。
実施例５では、膨出部６６の直径が前ケース５０および後ケース６０の左右幅の１／２の寸法で形成されていたのに対し、実施例６では膨出部６６の直径がそれらケースの左右幅の１／２以上の寸法で形成されている。
膨出部６６には、前ケース５０の前面５００２の前方に臨ませてレンズ鏡筒１０が設けられ、膨出部６６の前部には前ケース５０の前面５００２とほぼ同一面をなす前面６６０２が形成され、前面６６０２に、撮影光学系１４により形成される光路の開口１４０２が設けられている。
開口１４０２は、前面６６０２の直径の１／２以下の直径で形成され、開口１４０２は前面６６０２（前ケース５０）の幅方向の中心で第１ケース５２の上面５２０６寄りの箇所に設けられている。開口１４０２の外側における前面６２０２箇所のうち本例では前面６６０２の幅方向の中心で第１ケース５２の下面５２０８寄りの箇所に閃光を発するフラッシュ７０が設けられている。
フラッシュ７０は、実施例２と同様に、前方に臨ませて形成された上下に縦長の矩形状の開口７００２と、開口７００２に組み込まれた閃光拡散用の拡散板７００４と、拡散板７００４の後方に配設され制御部１６０の制御によって発光される発光部（不図示）とを有し、フラッシュ７０の開口７００２は膨出部６６の前面６６０２の上下方向に延在している。
フラッシュ７０は、前記発光部から発光された閃光が拡散板７００４によって前方に拡散して出射される際、前記閃光が第１ケース６２に組み込まれている撮像素子１５０の短辺方向と平行をなす方向に拡散する角度（範囲）よりも、前記閃光が撮像素子１５０の長辺方向と平行をなす方向に拡散する角度（範囲）が大きくなるように構成されている。
【００２９】
したがって、実施例６によれば、実施例５と同様の作用効果を奏することは無論のこと、フラッシュ７０が膨出部６６に設けられているため、前ケース５０と後ケース６０が第１位置（図２２（Ａ））と第２位置（図２５（Ａ））の何れの位置に位置した場合にも、フラッシュ７０から出射された光は、撮像素子１５０の短辺方向と平行をなす方向よりも撮像素子１５０の長辺方向と平行をなす方向により広い角度をもって拡散する。
したがって、前ケース５０と後ケース６０の位置に拘わらず、撮像素子１５０の受光面の縦横の比率に対応した範囲に満遍なく光を照射することができる。
【実施例７】
【００３０】
次に実施例７について説明する。
実施例７が実施例６と異なるのは、膨出部におけるフラッシュの位置である。
図２８（Ａ）は実施例７の携帯電話機が第１位置にある状態を示す正面図、（Ｂ）は（Ａ）のＢ矢視図、（Ｃ）は（Ａ）のＣ矢視図、（Ｄ）は（Ａ）のＤ矢視図、図２９（Ｅ）は図２８（Ａ）のＥ矢視図、（Ｆ）は（Ｅ）のＦ矢視図、図３０は実施例７の携帯電話機が第１位置にある状態を前方から見た斜視図である。
図３１（Ａ）は実施例７の携帯電話機が第２位置にある状態を示す正面図、（Ｂ）は（Ａ）のＢ矢視図、（Ｃ）は（Ａ）のＣ矢視図、（Ｄ）は（Ａ）のＤ矢視図、図３２（Ｅ）は図３１（Ａ）のＥ矢視図、（Ｆ）は（Ｅ）のＦ矢視図、図３３は実施例７の携帯電話機が第２位置にある状態を前方から見た斜視図である。
【００３１】
実施例７では、実施例６と同様に、図２８（Ａ）に示すように、膨出部６６には、前ケース５０の前面５００２の前方に臨ませてレンズ鏡筒１０が設けられ、膨出部６６の前部には前ケース５０の前面５００２とほぼ同一面をなす前面６６０２が形成され、前面６６０２に、撮影光学系１４により形成される光路の開口１４０２が設けられている。
開口１４０２は、前面６６０２の上下方向の中心で右寄りの箇所に設けられている。開口１４０２の外側における前面６２０２箇所のうち本例では前面６６０２の上下方向の中心で左寄りの箇所に閃光を発するフラッシュ７０が設けられている。
フラッシュ７０は、実施例２と同様に、前方に臨ませて形成された上下に縦長の矩形状の開口７００２と、開口７００２に組み込まれた閃光拡散用の拡散板７００４と、拡散板７００４の後方に配設され制御部１６０の制御によって発光される発光部（不図示）とを有している。
フラッシュ７０は、前記発光部から発光された閃光が拡散板７００４によって前方に拡散して出射される際、前記閃光が第１ケース６２に組み込まれている撮像素子１５０の短辺方向と平行をなす方向に拡散する角度（範囲）よりも、前記閃光が撮像素子１５０の長辺方向と平行をなす方向に拡散する角度（範囲）が大きくなるように構成されている。
したがって、実施例７によれば、実施例６と同様の作用効果を奏することができる。
また、実施例６では、撮影光学系１４の開口１４０２とフラッシュ５０の開口７００２とが並べられた方向に沿ってフラッシュ７０の開口７００２を延在させていたのに対して、実施例７では、撮影光学系１４の開口１４０２とフラッシュ５０の開口７００２とが並べられた方向に直交する方向にフラッシュ７０の開口７００２を延在させているので、実施例６に比較してレンズ鏡筒１０の開口１４０２の直径を大きく確保でき、また、フラッシュ７０の開口７００２の延在長さを大きく確保する上で有利となる。
【実施例８】
【００３２】
次に実施例８について説明する。
実施例８が実施例６、７と異なるのは、フラッシュが前ケースに設けられフラッシュが膨出部に連動して回転される点である。
図３４（Ａ）は実施例８の携帯電話機が第１位置にある状態を示す正面図、（Ｂ）は（Ａ）のＢ矢視図、（Ｃ）は（Ａ）のＣ矢視図、（Ｄ）は（Ａ）のＤ矢視図、図３５（Ｅ）は図３４（Ａ）のＥ矢視図、（Ｆ）は（Ｅ）のＦ矢視図、図３６は実施例８の携帯電話機が第１位置にある状態を前方から見た斜視図である。
図３７（Ａ）は実施例８の携帯電話機が第２位置にある状態を示す正面図、（Ｂ）は（Ａ）のＢ矢視図、（Ｃ）は（Ａ）のＣ矢視図、（Ｄ）は（Ａ）のＤ矢視図、図３８（Ｅ）は図３７（Ａ）のＥ矢視図、（Ｆ）は（Ｅ）のＦ矢視図、図３９は実施例８の携帯電話機が第２位置にある状態を前方から見た斜視図である。
【００３３】
実施例８は、実施例３、４と同様に、図３４（Ａ）に示すように、フラッシュ７０は円筒状のケース７００６に収容され、このケース７００６は、前ケース５０の前面５００２の孔５０２０に、前ケース５０の厚さ方向を通る軸心の回りに回転可能に挿入されて配置され、実施例８では、孔５２が前ケース５０の前面５００２の幅方向に対して左側面５０１０寄りに変位した箇所に設けられている。
前ケース５０の内部には、実施例３、４と同様に、膨出部６６に連結され孔５２内における膨出部６６の相対的な回転に連動させてフラッシュ７０を回転させる回転機構７２（図１３、図１４参照）が設けられている。
そして、回転機構７２は、前ケース５０と後ケース６０の揺動に連動してフラッシュ７０が回転することにより、前ケース５０と後ケース６０が第１位置（図３４（Ａ））および第２位置（図３７（Ａ））の何れの位置にあっても、フラッシュ７０から出射された光が、撮像素子１５０の受光面の短辺方向と平行をなす方向よりも撮像素子１５０の長辺方向と平行をなす方向により広い角度をもって拡散するように構成されている。
したがって、実施例８においても、実施例６，７と同様に、前ケース５０と後ケース６０の位置に拘わらず、撮像素子１５０の縦横の比率に対応した範囲に満遍なく光を照射するという作用効果を奏する。
また、実施例８では、フラッシュ７０を膨出部６６と別に設けたので、レンズ鏡筒１０の開口１４０２を大きく確保する上で有利となる。
【実施例９】
【００３４】
次に実施例９について説明する。
実施例９が実施例８と異なるのは、膨出部６６の直径および撮影光学系１４の光路の開口１４０２の直径がより大きく形成されている点である。
図４０（Ａ）は実施例９の携帯電話機が第１位置にある状態を示す正面図、（Ｂ）は（Ａ）のＢ矢視図、（Ｃ）は（Ａ）のＣ矢視図、（Ｄ）は（Ａ）のＤ矢視図、図４１（Ｅ）は図４０（Ａ）のＥ矢視図、（Ｆ）は（Ｅ）のＦ矢視図、図４２は実施例９の携帯電話機が第１位置にある状態を前方から見た斜視図である。
図４３（Ａ）は実施例９の携帯電話機が第２位置にある状態を示す正面図、（Ｂ）は（Ａ）のＢ矢視図、（Ｃ）は（Ａ）のＣ矢視図、（Ｄ）は（Ａ）のＤ矢視図、図４４（Ｅ）は図４３（Ａ）のＥ矢視図、（Ｆ）は（Ｅ）のＦ矢視図、図４５は実施例９の携帯電話機が第２位置にある状態を前方から見た斜視図である。
実施例８では、膨出部６６の直径が前ケース５０の左右幅の約１／３の寸法であったのに対し、実施例９では膨出部６６の直径が前ケース５０の左右幅の約１／２の寸法で形成されており、実施例８と同様の作用効果が発揮される。
【実施例１０】
【００３５】
次に実施例１０について説明する。
実施例１０が実施例９と異なるのは、膨出部６６の位置である。
図４０（Ａ）は実施例１０の携帯電話機が第１位置にある状態を示す正面図、（Ｂ）は（Ａ）のＢ矢視図、（Ｃ）は（Ａ）のＣ矢視図、（Ｄ）は（Ａ）のＤ矢視図、図４１（Ｅ）は図４０（Ａ）のＥ矢視図、（Ｆ）は（Ｅ）のＦ矢視図、図４２は実施例１０の携帯電話機が第１位置にある状態を前方から見た斜視図である。
図４３（Ａ）は実施例１０の携帯電話機が第２位置にある状態を示す正面図、（Ｂ）は（Ａ）のＢ矢視図、（Ｃ）は（Ａ）のＣ矢視図、（Ｄ）は（Ａ）のＤ矢視図、図４４（Ｅ）は図４３（Ａ）のＥ矢視図、（Ｆ）は（Ｅ）のＦ矢視図、図４５は実施例１０の携帯電話機が第２位置にある状態を前方から見た斜視図である。
実施例９では、膨出部６６が前ケース５０の前面５００２の撮影光学系１４の開口１４０２の斜め左下部に設けられていたのに対し、実施例１０では膨出部６６が前ケース５０の前面５００２の撮影光学系１４の開口１４０２の左側部に設けられており、実施例９と同様の作用効果が発揮される。
【００３６】
なお、上述した各実施例では、撮像装置あるいは携帯電話機が静止画および動画の双方を撮影可能なものである場合について説明したが、撮像装置あるいは携帯電話機が静止画および動画の何れか一方のみを撮影するものであっても本発明は無論適用可能である。
【図面の簡単な説明】
【００３７】
【図１】実施例１の撮像装置の制御系を示す説明図である。
【図２】実施例１の撮像装置の分解斜視図である。
【図３】実施例１の撮像装置が第１位置にある状態を前方から見た斜視図である。
【図４】実施例１の撮像装置が第１位置にある状態を後方から見た斜視図である。
【図５】実施例１の撮像装置が第２位置にある状態を前方から見た斜視図である。
【図６】実施例１の撮像装置が第２位置にある状態を後方から見た斜視図である。
【図７】実施例２の撮像装置が第１位置にある状態を前方から見た斜視図である。
【図８】実施例２の撮像装置が第１位置にある状態を後方から見た斜視図である。
【図９】実施例２の撮像装置が第２位置にある状態を前方から見た斜視図である。
【図１０】実施例２の撮像装置が第２位置にある状態を後方から見た斜視図である。
【図１１】実施例３の撮像装置が第１位置にある状態を前方から見た斜視図である。
【図１２】実施例３の撮像装置が第２位置にある状態を前方から見た斜視図である。
【図１３】実施例３におけるフラッシュの回転機構の構成図である。
【図１４】実施例４におけるフラッシュの回転機構の構成図である。
【図１５】実施例５の携帯電話機の制御系を示すブロック図である。
【図１６】実施例５の携帯電話機が第１位置にある状態を示す説明図である。
【図１７】実施例５の携帯電話機が第１位置にある状態を示す説明図である。
【図１８】実施例５の携帯電話機が第１位置にある状態を前方から見た斜視図である。
【図１９】実施例５の携帯電話機が第２位置にある状態を示す説明図である。
【図２０】実施例５の携帯電話機が第２位置にある状態を示す説明図である。
【図２１】実施例５の携帯電話機が第２位置にある状態を前方から見た斜視図である。
【図２２】実施例６の携帯電話機が第１位置にある状態を示す説明図である。
【図２３】実施例６の携帯電話機が第１位置にある状態を示す説明図である。
【図２４】実施例６の携帯電話機が第１位置にある状態を前方から見た斜視図である。
【図２５】実施例６の携帯電話機が第２位置にある状態を示す説明図である。
【図２６】実施例６の携帯電話機が第２位置にある状態を示す説明図である。
【図２７】実施例６の携帯電話機が第２位置にある状態を前方から見た斜視図である。
【図２８】実施例７の携帯電話機が第１位置にある状態を示す説明図である。
【図２９】実施例７の携帯電話機が第１位置にある状態を示す説明図である。
【図３０】実施例７の携帯電話機が第１位置にある状態を前方から見た斜視図である。
【図３１】実施例７の携帯電話機が第２位置にある状態を示す説明図である。
【図３２】実施例７の携帯電話機が第２位置にある状態を示す説明図である。
【図３３】実施例７の携帯電話機が第２位置にある状態を前方から見た斜視図である。
【図３４】実施例８の携帯電話機が第１位置にある状態を示す説明図である。
【図３５】実施例８の携帯電話機が第１位置にある状態を示す説明図である。
【図３６】実施例８の携帯電話機が第１位置にある状態を前方から見た斜視図である。
【図３７】実施例８の携帯電話機が第２位置にある状態を示す説明図である。
【図３８】実施例８の携帯電話機が第２位置にある状態を示す説明図である。
【図３９】実施例８の携帯電話機が第２位置にある状態を前方から見た斜視図である。
【図４０】実施例９の携帯電話機が第１位置にある状態を示す説明図である。
【図４１】実施例９の携帯電話機が第１位置にある状態を示す説明図である。
【図４２】実施例９の携帯電話機が第１位置にある状態を前方から見た斜視図である。
【図４３】実施例９の携帯電話機が第２位置にある状態を示す説明図である。
【図４４】実施例９の携帯電話機が第２位置にある状態を示す説明図である。
【図４５】実施例９の携帯電話機が第２位置にある状態を前方から見た斜視図である。
【図４６】実施例１０の携帯電話機が第１位置にある状態を示す説明図である。
【図４７】実施例１０の携帯電話機が第１位置にある状態を示す説明図である。
【図４８】実施例１０の携帯電話機が第１位置にある状態を前方から見た斜視図である。
【図４９】実施例１０の携帯電話機が第２位置にある状態を示す説明図である。
【図５０】実施例１０の携帯電話機が第２位置にある状態を示す説明図である。
【図５１】実施例１０の携帯電話機が第２位置にある状態を前方から見た斜視図である。
【符号の説明】
【００３８】
１０……レンズ鏡筒、５０……前ケース、５００２……前面、５００４……後面、５２……孔、６０……後ケース、６２……第１ケース、６２０２……前面、６２０４……後面、６４……第２ケース、６４０２……前面、６４０４……後面、１２６……表示パネル、１５０……撮像素子、１００……撮像装置、２００……携帯電話機。
【図１】
2006050157.tif 000003
【図２】
2006050157.tif 000004
【図３】
2006050157.tif 000005
【図４】
2006050157.tif 000006
【図５】
2006050157.tif 000007
【図６】
2006050157.tif 000008
【図７】
2006050157.tif 000009
【図８】
2006050157.tif 000010
【図９】
2006050157.tif 000011
【図１０】
2006050157.tif 000012
【図１１】
2006050157.tif 000013
【図１２】
2006050157.tif 000014
【図１３】
2006050157.tif 000015
【図１４】
2006050157.tif 000016
【図１５】
2006050157.tif 000017
【図１６】
2006050157.tif 000018
【図１７】
2006050157.tif 000019
【図１８】
2006050157.tif 000020
【図１９】
2006050157.tif 000021
【図２０】
2006050157.tif 000022
【図２１】
2006050157.tif 000023
【図２２】
2006050157.tif 000024
【図２３】
2006050157.tif 000025
【図２４】
2006050157.tif 000026
【図２５】
2006050157.tif 000027
【図２６】
2006050157.tif 000028
【図２７】
2006050157.tif 000029
【図２８】
2006050157.tif 000030
【図２９】
2006050157.tif 000031
【図３０】
2006050157.tif 000032
【図３１】
2006050157.tif 000033
【図３２】
2006050157.tif 000034
【図３３】
2006050157.tif 000035
【図３４】
2006050157.tif 000036
【図３５】
2006050157.tif 000037
【図３６】
2006050157.tif 000038
【図３７】
2006050157.tif 000039
【図３８】
2006050157.tif 000040
【図３９】
2006050157.tif 000041
【図４０】
2006050157.tif 000042
【図４１】
2006050157.tif 000043
【図４２】
2006050157.tif 000044
【図４３】
2006050157.tif 000045
【図４４】
2006050157.tif 000046
【図４５】
2006050157.tif 000047
【図４６】
2006050157.tif 000048
【図４７】
2006050157.tif 000049
【図４８】
2006050157.tif 000050
【図４９】
2006050157.tif 000051
【図５０】
2006050157.tif 000052
【図５１】
2006050157.tif 000053